(57)【要約】【課題】本発明では、作業性の向上を目的とした分電盤６を提供する。【解決手段】本発明に係る分電盤６は、枠体８をキャビネット本体１に取り付けるための枠体取り付け金具１２をキャビネット本体１に設けると共に、キャビネット本体１の側面内部に設けた電線支持具１７に覆い立て金具１０を取り付け可能とし、覆い立て金具１７の取り付けは、枠体８が取り付けられた状態で簡単に行えるようにし分電盤製作の作業性の向上を図った。【選択図】図３
2010119234.tif 000002
【特許請求の範囲】
【請求項１】
各種電気機器を具備する分電盤であって、少なくとも、前面に開口を有するキャビネット本体と、前記開口全周を被覆する枠体と、前記開口全体を被覆する配線覆いとから構成され、該配線覆いは覆い立て金具により支持される分電盤において、前記枠体を前記キャビネット本体に取り付けるための枠体取り付け金具を前記キャビネット本体に設けると共に、前記キャビネット本体の側面内部に設けた電線支持具に前記覆い立て金具を取り付け可能としたことを特徴とする分電盤。
【発明の詳細な説明】
【技術分野】
【０００１】
本発明は、各種電気機器を具備する分電盤であって、少なくとも、前面に開口を有するキャビネット本体と、開口全周を被覆する枠体と、開口全体を被覆する配線覆いとから構成され、配線覆いは覆い立て金具により支持される分電盤に関するものである。
【背景技術】
【０００２】
キャビネット本体の前面には開口が設けられ、開口周縁部には、扉体を接続するための枠体が取り付けられている。パネル等に主幹ブレーカや分岐ブレーカ等の電気機器を配列し、そのパネルをキャビネット本体に収納して分電盤が構成される。電気機器間は導体で接続されており、この部分は充電部と呼ばれている。充電部への塵埃等の侵入を防ぐため、キャビネット本体の開口部は配線覆いで施蓋される。
【０００３】
図５に示すように、キャビネット本体３１の開口３２周縁部に断面略Ｌ字状の取り付け金具３３を溶接していた。取り付け金具３３には、枠体取り付け用ねじ穴３４と、覆い立て金具取り付け用ねじ穴３５とを設け、一つの取り付け金具３３で、枠体３６と覆い立て金具３７とをそれぞれ取り付けていた。
【特許文献１】特開平９−１４９５１１号公報
【発明の開示】
【発明が解決しようとする課題】
【０００４】
しかしながら、上記取り付け金具では、覆い立て金具を取り付けるには、枠体を外す必要があり、その作業は大変手間がかかっていた。覆い立て金具に支持される配線覆いが、開口を確実に被覆するように、覆い立て金具の位置調整を行う場合がある。分電盤を設置した後に、このような覆い立て金具の位置調整をする場合、枠体を外してからでないと、覆い立て金具を動かすことができないため、作業時間がかかるという欠点があった。
【課題を解決するための手段】
【０００５】
そこで本発明は、作業性の向上を目的とした分電盤を提供するために、枠体をキャビネット本体に取り付けるための枠体取り付け金具をキャビネット本体に設けると共に、キャビネット本体の側面内部に設けた電線支持具に覆い立て金具を取り付け可能とした。
【発明の効果】
【０００６】
本発明に係る分電盤は、枠体を前記キャビネット本体に取り付けるための枠体取り付け金具をキャビネット本体に設けると共に、キャビネット本体の側面内部に設けた電線支持具に覆い立て金具を取り付け可能としたため、枠体取り付け用ねじ穴と覆い立て金具取り付け用ねじ穴とを離し、覆い立て金具の取り付けは、枠体が取り付けられた状態で行えるため、作業性が向上する。また、分電盤設置後の覆い立て金具の位置調整も枠体が取り付けられた状態で行える。
【発明を実施するための最良の形態】
【０００７】
本発明に係る配線覆いの取り付け金具を図１〜図４の添付図面に基いて説明する。
【０００８】
キャビネット本体１は前面に開口２を有し、パネル３等に主幹ブレーカ４や分岐ブレーカ５を配列し、このパネル３をキャビネット本体１に固定して分電盤６を構成する。キャビネット本体１の前面には、扉体７をキャビネット本体１に取り付けるための枠体８が設けられる。
【０００９】
キャビネット本体１の前面開口２は、配線覆い９で施蓋することで、キャビネット本体１内部への塵埃の侵入を防いでいる。配線覆い９はキャビネット本体１に設けられる覆い立て金具１０により支持される。
【００１０】
キャビネット本体１の開口２周縁部に、枠体８を固定するための取り付け金具１１を設ける。取り付け金具１１は、断面略Ｌ字状に枠体取り付け部１２とキャビネット取り付け部１３とを形成している。取り付け金具１１は枠体取り付け部１２をキャビネット本体１の開口２面の内側に向けて取り付ける。取り付け金具１１の枠体取り付け部１２には、枠体８をねじ止めするためのねじ穴１４を設ける。また、枠体８には、取り付け金具１１をねじ止めするための挿通孔１５を設ける。挿通孔１５とねじ穴１４とを対向させて、枠体８をキャビネット本体１に合わせ、ねじ１６を挿通孔１５とねじ穴１４とにそれぞれ挿通し、枠体８をキャビネット本体１に固定する。
【００１１】
キャビネット本体１の内側側面には、電線支持具１７を取り付ける。ブレーカ等の電気機器間を接続する配線等を整線するために用いられ、結束具で配線を結束できるように、結束用穴１８が設けられている。この電線支持具１７に、覆い立て金具１０を固定するための固定穴１９を設ける。固定穴１９が設けられる位置は、電線支持具１７をキャビネット本体１の内側側面に設けたときの、開口２に近い位置である。
【００１２】
覆い立て金具１０は、固定部２０と支持部２１とで構成され、固定部２０を電線支持具１７に設けられた固定穴１９にねじ止めしたときに、支持部２１は、キャビネット本体１の内側に向かって延設される形となる。覆い立て金具１０の固定部２０に、電線支持具１７の固定穴１９に対向する挿通穴２２を設ける。
【００１３】
固定穴１９と挿通穴２２とを対向させ、覆い立て金具１０を電線支持具１７に置き、固定穴１９と挿通穴２２とにそれぞれねじ２３を挿通し、締め付け、覆い立て金具１０を電線支持具１７に固定する。固定穴１９を複数個設けることにより、覆い立て金具１０の取り付け位置を、キャビネット本体１に収納される機器の高さに合わせて、調整可能とする。
【００１４】
枠体８をキャビネット本体１に取り付けるための取り付け金具１１と、キャビネット本体１の開口２を施蓋する配線覆いを支持する覆い立て金具１０との位置を離し、キャビネット本体１に枠体８を取り付けた状態で、覆い立て金具１０の取り付け取り外しや、配線覆い９の取り付け位置を調整するための、覆い立て金具１０の移動を行う。覆い立て金具１０を電線支持具１６に取り付けることは、固定穴１９を電線支持具１６に設けるということであり、キャビネット本体１に穴加工をすることに比べて、固定穴１９の加工がしやすいというメリットもある。
【図面の簡単な説明】
【００１５】
【図１】本発明に係る分電盤の扉体を透視した状態の正面図、右側側面図、下側側面図である。
【図２】本発明に係る分電盤を示す説明図である。
【図３】図１における分電盤の要部拡大図である。
【図４】図１における分電盤の側面図である。
【図５】従来の分電盤を示す説明図である。
【符号の説明】
【００１６】
１    キャビネット本体
２    開口
３    パネル
４    主幹ブレーカ
５    分岐ブレーカ
６    分電盤
７    扉体
８    枠体
９    配線覆い
１０  覆い立て金具
１１  取り付け金具
１２  枠体取り付け部
１３  キャビネット取り付け部
１４  ねじ穴
１５  挿通孔
１６  ねじ
１７  電線支持具
１８  結束用穴
１９  固定穴
２０  固定部
２１  支持部
２２  挿通穴
２３  ねじ
【図１】
2010119234.tif 000003
【図２】
2010119234.tif 000004
【図３】
2010119234.tif 000005
【図４】
2010119234.tif 000006
【図５】
2010119234.tif 000007